(57)【要約】【課題】  別個の構成体としての装飾枠体と装飾本体との着脱操作を簡易に行えるようにして、異なった態様での使用を気軽に楽しむことのできる装身具を提供することにある。【解決手段】  装飾枠体１２と、この装飾枠体１２内に配置されて着脱可能に取付けられる装飾本体１１とを備える。前記装飾枠体１２は蝶番２１によって開閉可能に連結された一対の枠部材２２ａ，２２ｂを備え、前記装飾本体１１に設けられたチェーン１３を前記一対の枠部材２２ａ，２２ｂの対向する内側面２３ａ，２３ｂの間に挟み込むことによって装飾枠体１２に装飾本体１１が取付けられる。また、枠部材２２ａ，２２ｂの対向する面には磁石片２４ａ，２４ｂが設けられ、その吸着作用で一対の枠部材２２ａ，２２ｂが密着する。【選択図】  図２
0003138725.tif 000002
【実用新案登録請求の範囲】
【請求項１】
装飾枠体と、この装飾枠体内に配置されて着脱可能に取付けられる装飾本体とを備える装身具において、
前記装飾枠体はヒンジによって開閉可能に連結された一対の枠部材を備え、前記装飾本体に設けられたチェーンを前記一対の枠部材の対向する面の間に挟み込むことによって装飾枠体に装飾本体が取付けられることを特徴とする装身具。
【請求項２】
前記一対の枠部材の対向する面には前記装飾本体のチェーンが収まる溝部が形成されている請求項１に記載の装身具。
【請求項３】
前記溝部は、一対の枠部材を閉じた時にチェーンが挿通するための挿通孔を形成する請求項２に記載の装身具。
【請求項４】
前記一対の枠部材の対向する面には磁性体が設けられ、この磁性体の吸着作用で一対の枠部材が密着した状態を保持する請求項１に記載の装身具。
【請求項５】
前記溝部は、ヒンジの左右近傍にそれぞれ設けられる請求項１に記載の装身具。
【請求項６】
前記装飾枠体はリング部材からなる指輪である請求項１に記載の装身具。
【考案の詳細な説明】
【技術分野】
【０００１】
本考案は、ペンダント、ネックレス、ブレスレット、指輪などの装身具に係り、特に、装飾枠体と装飾本体とを別個の構成体として着脱可能に取り付けることで、異なった態様で使用することのできる装身具に関する。
【背景技術】
【０００２】
従来、この種の装身具１は、例えば、図１１に示すように、別個の構成体としての主飾り部２と副飾り部３とを備え、主飾り部２及び副飾り部３のそれぞれがチェーン４を通す孔５ａ，５ｂ，６を有する構成となっている。この装身具１は、副飾り部３を主飾り部２の中に配置し、両者の孔５ａ，５ｂ，６にチェーン４を挿通することで両者を一体に吊り下げて使用することができ、また、主飾り部２と副飾り部３とを別個に吊り下げて使用することもできる。
【０００３】
しかしながら、上記従来の装身具１にあっては、主飾り部２と副飾り部３との使用態様を変えるたびに、主飾り部２又は副飾り部３からチェーン４を一旦引き抜き、再度使用する飾り部の孔に挿通し直す必要があり、その操作が煩わしいものとなっていた。特に、チェーンを挿通する飾り部の孔が小さい場合などには大きな負担となっていた。
【特許文献１】特開平７−２２７３０７号公報
【考案の開示】
【考案が解決しようとする課題】
【０００４】
本考案が解決しようとする課題は、別個の構成体としての装飾枠体と装飾本体との着脱操作を簡易に行えるようにして、異なった態様での使用を気軽に楽しむことのできる装身具を提供することにある。
【課題を解決するための手段】
【０００５】
本考案に係る装身具は、装飾枠体と、この装飾枠体内に配置されて着脱可能に取付けられる装飾本体とを備える装身具において、前記装飾枠体はヒンジによって開閉可能に連結された一対の枠部材を備え、前記装飾本体に設けられたチェーンを前記一対の枠部材の対向する面の間に挟み込むことによって装飾枠体に装飾本体が取付けられることを特徴とする。
【０００６】
また、前記一対の枠部材の対向する面には前記装飾本体のチェーンが収まる溝部が形成され、この溝部は、一対の枠部材を閉じた時にチェーンが挿通するための挿通孔を形成するように構成されている。
【０００７】
さらに、前記一対の枠部材の対向する面には磁性体が設けられ、この磁性体の吸着作用で一対の枠部材が密着した状態を保持するように構成されている。
【考案の効果】
【０００８】
本考案の装身具によれば、装飾枠体はヒンジによって開閉可能に連結された一対の枠部材によって構成される。そのため、装飾本体に設けられたチェーンを前記一対の枠部材の対向する面の間に挟み込むだけで、装飾枠体に装飾本体を容易に取付けることができる。
【０００９】
また、本考案の装身具によれば、装飾枠体を構成する一対の枠部材の対向する面には装飾本体のチェーンが収まる溝部が形成され、この溝部によってチェーンが挿通するための挿通孔を形成している。そのため、チェーンは装飾枠体に固定されずにスライド可能となり、装飾枠体と装飾本体との位置調整が容易となる。
【００１０】
さらに、本考案の装身具によれば、装飾枠体を構成する一対の枠部材の対向する面には磁性体が設けられている。そのため、装飾枠体は常時において一対の枠部材が閉じた状態を磁性体の吸着作用で保持することができる。
【考案を実施するための最良の形態】
【００１１】
以下、添付図面に基づいて、本考案に係る装身具の実施形態を詳細に説明する。図１乃至図６は本考案に係る装身具の第１実施例を示したものであり、別個の構成体からなる装飾本体１１と装飾枠体１２とで構成されるペンダント１０が示されている。このペンダント１０は、図１に示したように、装飾本体１１にチェーン１３としての鎖体や紐体などが設けられており、装飾本体１１のみでペンダント１０として使用される場合と、図４に示したように、装飾本体１１を装飾枠体１２内に組み込んで、両者一体のペンダント１０として使用される場合がある。
【００１２】
この実施例において、装飾本体１１は四つ葉のクローバを模したデザインの外形形状からなる。図５及び図６に示したように、装飾本体１１は四つ葉の形状をした上下の薄板１４ａ，１４ｂを複数本の柱部１５で支えることで、四つ葉を構成する各葉部１１ａ〜１１ｄの内部に中空部１６を形成しており、この中空部１６が各葉部１１ａ〜１１ｄの側面に設けられた開口部１７ａ〜１７ｄ（図１参照）と連通している。本実施例では４つの葉部１１ａ〜１１ｄのうちの一つの葉部１１ａの開口部１７ａに前記チェーン１３が挿通されている。
【００１３】
前記装飾枠体１２は、図１に示したように、前記装飾本体１１の外形形状にほぼ対応した内部空間２０を有すると共に、装飾枠体１２の外形形状も四つ葉に対応したものとなっている。また、装飾枠体１２は、図２乃至図６に示したように、ヒンジとしての蝶番２１によって開閉可能に連結された一対の同一形状の枠部材２２ａ，２２ｂによって構成されている。一対の枠部材２２ａ，２２ｂの対向する両方の内側面２３ａ，２３ｂには、前記蝶番２１とは反対側の部位に極性の異なる磁石片２４ａ，２４ｂがそれぞれ埋め込まれ、一対の枠部材２２ａ，２２ｂを閉じた時には磁石片２４ａ，２４ｂの吸着作用によって内側面２３ａ，２３ｂ同士が密着した状態が保持される。なお、両方の内側面２３ａ，２３ｂに磁石片２４ａ，２４ｂをそれぞれ設ける必要はなく、一方の面には鉄片など磁石が吸着する部材を設けてもよい。
【００１４】
また、前記一対の枠部材２２ａ，２２ｂの対向する両方の内側面２３ａ，２３ｂには、前記蝶番２１の左右側近傍に湾曲状に溝部２５ａ，２５ｂが形成されている。この溝部２５ａ，２５ｂは装飾枠体１２の内部空間２０に装飾本体１１を配置したときに、装飾本体１１に設けられているチェーン１３を収めるためのもので、図１に示したように、一対の枠部材２２ａ，２２ｂを閉じたときには、チェーン１３を挿通するための挿通孔２６として蝶番２１の両側に一対形成される。このように、チェーン１３は装飾枠体１２に形成された挿通孔２６を自由に動きうることができ、また装飾本体１１に対しても自由に動くことができるので、チェーン１３に対する装飾本体１１及び装飾枠体１２の位置調整が容易である。
【００１５】
次に、上記構成からなるペンダント１０の使用方法について説明する。上述したように、装飾本体１１のみで使用することも可能であり、この場合は図１に示したようにチェーン１３に吊り下げられた装飾本体１１をペンダント１０として使用する。
【００１６】
装飾本体１１を装飾枠体１２と一体にして使用する場合には、先ず図２に示したように、装飾枠体１２を構成する一対の枠部材２２ａ，２２ｂを上下に開き、その中に装飾本体１１を配置する。その際、装飾本体１１に設けられているチェーン１３が枠部材２２ａ，２２ｂを連結する蝶番２１に左右側から外に延びるように配置し、図３に示したように、装飾本体１１を下側枠部材２２ｂの内部空間２０に嵌め入れると同時にチェーン１３を溝部に収める。次に、上側枠部材２２ａを装飾本体１１の上から被せて閉じる。その際、一対の枠部材２２ａ，２２ｂの対向する内側面２３ａ，２３ｂが磁石片２４ａ，２４ｂの吸着作用によって密着するので、枠部材２２ａ，２２ｂが開いてしまうことがなく、図４に示したような装飾本体１１と装飾枠体１２とが一体になったペンダント１０として構成される。
【００１７】
このように、装飾本体１１を装飾枠体１２に組み込んで使用する場合に、従来のように装飾本体１１に設けられたチェーン１３を一旦引き抜いて、再び装飾本体１１と装飾枠体１２の両方にチェーン１３を挿通するといった手間を省けることで、非常に使い勝手のよいものである。
【００１８】
図７乃至図１０は本考案に係る装身具の第２実施例を示したものであり、単独で指輪としても使用される装飾枠体３１に、前記実施例と同様の構成からなる装飾本体１１を組み付けたペンダント３０が示されている。
【００１９】
この実施例における装飾枠体３１は、図７に示したように、一対の平板状のリング部材３１ａ，３１ｂを蝶番３２によって開閉可能に連結したもので、一対のリング部材３１ａ，３１ｂの対向する両方の内側面３３ａ，３３ｂには、前記蝶番３２とは対向する側の部位に極性の異なる３つの磁石片３４ａ，３４ｂがそれぞれ埋め込まれ、リング部材３１ａ，３１ｂを閉じた時には磁石片３４ａ，３４ｂの吸着作用によってリング部材３１ａ，３１ｂの内側面３３ａ，３３ｂが密着した状態が保持され、図８に示したように、指輪３５として違和感なく使用することができる。
【００２０】
また、先の実施例と同様、前記一対のリング部材３１ａ，３１ｂの対向する両方の内側面３３ａ，３３ｂには、前記蝶番３２の左右側近傍に湾曲状の溝部３６ａ，３６ｂがそれぞれ形成されている。この溝部３６ａ，３６ｂは、装飾枠体３１の内部空間３７に装飾本体１１を配置したときに、装飾本体１１に設けられているチェーン１３を収めるためのもので、図９及び図１０に示したように、一対のリング部材３１ａ，３１ｂを閉じたときには、チェーン１３を挿通するための挿通孔３７として蝶番３２の両側に一対形成される。
【００２１】
次に、上記構成からなるペンダント３０の使用方法について説明する。この実施例では、上述したように装飾本体１１のみでペンダントとして使用することが可能である他、装飾枠体３１を指輪３５として使用することもできる。
【００２２】
また、装飾本体１１を装飾枠体３１に組み付けてペンダント３０として使用する場合には、図７に示したように、装飾枠体３１を構成する一対のリング部材３１ａ，３１ｂを上下に開き、下側リング部材３１ｂの内部空間３８に装飾本体１１を配置し、チェーン１３を溝部３６ａ，３６ｂに収めてから上側リング部材３１ａを被せて閉じる。その際、一対のリング部材３１ａ，３１ｂの対向する内側面３３ａ，３３ｂが磁石片３４ａ，３４ｂの吸着作用によって密着するので、図９に示したような装飾本体１１と装飾枠体３１とが一体になったペンダント３０が構成される。なお、図１０に示したように、第１実施例において装飾本体１１を装飾枠体１２に組み込んで一体としたペンダント１０を、第２実施例におけるリング状の装飾枠体３１に組み付けてペンダント３０として使用することも可能である。
【００２３】
なお、本考案は装飾本体及び装飾枠体の形状や組み合わせが上記実施例に限定されないことは勿論であり、様々な形状や組み合わせを取り得る。また、本考案は上記実施例のようなペンダントに限られないことは勿論であり、別個の構成からなる装身具に広く利用されるものである。
【図面の簡単な説明】
【００２４】
【図１】本考案の第１実施例に係る装身具を示す斜視図である。
【図２】上下に開いた装飾枠体に装飾本体を組み込む際の斜視図である。
【図３】装飾枠体に装飾本体を組み込んで両者を一体とする際の斜視図である。
【図４】装飾枠体に装飾本体を組み込んでペンダントとして使用する際の斜視図である。
【図５】図４に示したペンダントの正面図である。
【図６】図５に示したペンダントのＡ−Ａ線断面図である。
【図７】本考案の第２実施例に係る装身具の装飾枠体を示す斜視図である。
【図８】図７における装飾枠体を指輪として使用する際の斜視図である。
【図９】図７における装飾枠体に装飾本体を組み込んでペンダントとして使用する際の斜視図である。
【図１０】図７における装飾枠体に第１実施例のペンダントを組み込んで使用する際の斜視図である。
【図１１】従来の装身具の一例を示す斜視図である。
【符号の説明】
【００２５】
１０  ペンダント（装身具）
１１  装飾本体
１２  装飾枠体
１３  チェーン
２０  内部空間
２１  蝶番（ヒンジ）
２２ａ，２２ｂ  枠部材
２３ａ，２３ｂ  内側面（対向する面）
２４ａ，２４ｂ  磁石片（磁性体）
２５ａ，２５ｂ  溝部
２６  挿通孔
３０  ペンダント（装身具）
３１  装飾枠体
３１ａ，３１ｂ  リング部材
３２  蝶番（ヒンジ）
３３ａ，３３ｂ  内側面（対向する面）
３４ａ，３４ｂ  磁石片（磁性体）
３５  指輪
３６ａ，３６ｂ  溝部
３７  挿通孔
３８  内部空間
【図１】
0003138725.tif 000003
【図２】
0003138725.tif 000004
【図３】
0003138725.tif 000005
【図４】
0003138725.tif 000006
【図５】
0003138725.tif 000007
【図６】
0003138725.tif 000008
【図７】
0003138725.tif 000009
【図８】
0003138725.tif 000010
【図９】
0003138725.tif 000011
【図１０】
0003138725.tif 000012
【図１１】
0003138725.tif 000013